(57)【特許請求の範囲】
【請求項１】
被写体を撮像し，被写体像を表す画像データを出力する撮像手段，
上記撮像手段から出力された画像データによって表される被写体像を表示する表示装置，
被写体の撮像のための構図についてのアドバイスを表示するように上記表示装置を制御する表示制御手段，および
シャッタ・レリーズ・ボタンの押し下げに応答して，上記撮像手段から出力される画像データを記録媒体に記録する記録制御手段を備え，
上記記録制御手段が，上記アドバイスを表すデータを，上記画像データに関連づけて上記記録媒体に記録するものである，
構図アドバイス機能付きディジタル・スチル・カメラ。
【請求項２】
被写体の撮像のための構図についてのアドバイスを表すデータと被写体像を表す画像データとが互いに関連して記録されている記録媒体から上記アドバイス・データおよび上記画像データを読み取る読取手段，
上記読取手段によって読み取られた上記画像データにより表される被写体像を表示装置の表示画面上に表示するように上記表示装置を制御する第１の表示制御手段，ならびに
上記読取手段によって読み取られた上記アドバイス・データにより示されるアドバイスを上記表示画面上に表示するように上記表示装置を制御する第２の表示制御手段，
を備えた画像再生装置。
【請求項３】
上記第１の表示制御手段による制御のもとに表示された被写体像が，上記アドバイスにしたがった構図で撮像されているかどうかを判定する判定手段，および
上記判定手段により，上記被写体像が上記アドバイスにしたがった構図で撮像されていないと判定されたことに応じて警告を行う警告手段，
をさらに備えた請求項２に記載の画像再生装置。
【請求項４】
被写体を撮像し，被写体像を表す画像データを出力する撮像手段，上記撮像手段から出力された画像データによって表される被写体像を表示する表示装置，およびシャッタ・レリーズ・ボタンの押し下げに応答して，上記撮像手段から出力される画像データを記録媒体に記録する記録制御手段を備えた構図アドバイス機能付きディジタル・スチル・カメラにおいて，
被写体の撮像のための構図についてのアドバイスを表示するように上記表示装置を制御するとともに，上記アドバイスを表すデータを，上記画像データに関連づけて上記記録媒体に記録するように制御する，
構図アドバイス機能付きディジタル・スチル・カメラの動作制御方法。
【請求項５】
被写体の撮像のための構図についてのアドバイスを表すデータと被写体像を表す画像データとが互いに関連して記録されている記録媒体から上記アドバイス・データおよび上記画像データを読み取り，
読み取られた上記画像データにより表される被写体像および上記アドバイス・データにより示されるアドバイスを表示装置の表示画面上に表示する，
画像再生方法。
【発明の詳細な説明】
【０００１】
【技術分野】
この発明は，被写体像を表示する表示装置を備えたディジタル・スチル・カメラおよびその動作制御方法に関する。
【０００２】
【発明の背景】
初心者が撮像する場合，水平線が主被写体としての人物の首を切る構図や，垂直線が人物の頭から出て角のようになってしまう構図のミスがある。また，カメラの構え方の癖により，右上がりや右下がりの画像を撮像してしまうユーザもいる。
【０００３】
カメラの撮影に不慣れな初心者は，撮影テクニックが未熟である。
【０００４】
【発明の開示】
この発明は，撮影に不慣れな初心者の撮影テクニックを向上させることを目的とする。
【０００５】
この発明による構図アドバイス機能付きディジタル・スチル・カメラは，被写体を撮像し，被写体像を表す画像データを出力する撮像手段，上記撮像手段から出力された画像データによって表される被写体像を表示する表示装置，被写体の撮像のための構図についてのアドバイスを表示するように上記表示装置を制御する表示制御手段，およびシャッタ・レリーズ・ボタンの押し下げに応答して，上記撮像手段から出力される画像データを記録媒体に記録する記録制御手段を備えていることを特徴とする。
【０００６】
この発明は，上記カメラに適した動作制御方法も提供している。すなわち，この方法は，被写体を撮像し，被写体像を表す画像データを出力する撮像手段，上記撮像手段から出力された画像データによって表される被写体像を表示する表示装置，およびシャッタ・レリーズ・ボタンの押し下げに応答して，上記撮像手段から出力される画像データを記録媒体に記録する記録制御手段を備えた構図アドバイス機能付きディジタル・スチル・カメラにおいて，被写体の撮像のための構図についてのアドバイスを表示するように上記表示装置を制御するものである。
【０００７】
この発明によると，被写体像が上記表示装置に表示される。上記表示装置に撮影の構図の上記アドバイスが表示される。
【０００８】
ユーザは，表示装置に表示されている上記アドバイスにしたがいながら，被写体の構図を決定する。初心者であっても構図のミスを未然に防止できる。上記アドバイスにしたがいながら，撮影を繰り返すことにより，初心者であっても様々な撮影テクニックが身に付くようになる。
【０００９】
上記アドバイスの表示指令を与える表示指令スイッチをさらに設けるとよい。この場合，上記表示制御手段は，上記表示指令スイッチから与えられた表示指令に応答して上記表示装置に上記アドバイスを表示する。
【００１０】
必要なときにのみ上記アドバイスを表示させることができる。撮影テクニックが身に付いているユーザにとっては，邪魔なアドバイスを表示しないようにできる。
【００１１】
構図に適した被写体像を表すアイコンを，上記アドバイスに対応して表示するように上記表示装置を制御するアイコン表示制御手段をさらに備えてもよい。
【００１２】
アイコンを見ることにより，表示されるアドバイスがどのような構図に適したものなのかを知ることができる。
【００１３】
撮影レベルの設定手段をさらに備えてもよい。この場合，上記表示制御手段は，上記撮影レベル設定手段によって設定された撮影レベルに応じたアドバイスを上記表示装置に表示することとなろう。
【００１４】
ユーザの撮影レベルに応じたアドバイスを表示することができる。様々な撮影レベルのユーザに対処することができるようになる。
【００１５】
上記アドバイスを表すデータを，上記画像データに関連づけて上記記録媒体に記録してもよい。次に述べるように，被写体像を再生するときに上記アドバイスを被写体像とともに表示することができるようになる。
【００１６】
この発明による画像再生装置は，被写体の撮像のための構図についてのアドバイスを表すデータと被写体像を表す画像データとが互いに関連して記録されている記録媒体から上記アドバイス・データおよび上記画像データを読み取る読取手段，上記読取手段によって読み取られた上記画像データにより表される被写体像を表示装置の表示画面上に表示するように上記表示装置を制御する第１の表示制御手段，ならびに上記読取手段によって読み取られた上記アドバイス・データにより示されるアドバイスを上記表示画面上に表示するように上記表示装置を制御する第２の表示制御手段を備えていることを特徴とする。
【００１７】
この発明は，上記装置に適した方法も提供している。すなわち，被写体の撮像のための構図についてのアドバイスを表すデータと被写体像を表す画像データとが互いに関連して記録されている記録媒体から上記アドバイス・データおよび上記画像データを読み取り，読み取られた上記画像データにより表される被写体像および上記アドバイス・データにより示されるアドバイスを表示装置の表示画面上に表示するものである。
【００１８】
この発明によると，上記記録媒体には，上記アドバイス・データと上記画像データとが互いに関連して記録されている。上記記録媒体から上記アドバイス・データおよび上記画像データが読み取られると，上記画像データによって表される被写体像と上記アドバイス・データによって表されるアドバイスとが表示装置の表示画面上に表示される。
【００１９】
上記表示画面上に表示されたアドバイスを見ることにより表示されている被写体像は，そのアドバイスにしたがって撮像されたことが分かる。
【００２０】
表示された被写体像が，上記アドバイスにしたがった構図で撮像されているかどうかを判定し，上記被写体像が，上記アドバイスにしたがった構図で撮像されていないと判定されたことに応じて警告を行うことが好ましい。
【００２１】
アドバイスにしたがった構図で撮像されていないときには，警告されるので，所望の構図で撮像されていなかった場合には，必要に応じて被写体を撮像し直すことができる。
【００２２】
【実施例の説明】
（１）第１実施例
図１は，この発明の第１実施例を示すもので，ディジタル・スチル・カメラの背面図である。
【００２３】
ディジタル・スチル・カメラ１の上面において右側には，シャッタ・レリーズ・ボタン２が配置されている。シャッタ・レリーズ・ボタン２は，第１段階および第２段階の押し下げが可能である。
【００２４】
ディジタル・スチル・カメラ１の背面の左上部には，光学的ビュー・ファインダ３が形成されている。
【００２５】
ディジタル・スチル・カメラ１の背面には，その右上部にセット・アップ・モード，撮影モード，再生モードその他のモードを設定するためのモード設定ダイアル４が設けられている。このモード設定ダイアル４の左側には，指標６が形成されている。モード設定ダイアル４は，回転自在である。モード設定ダイアル４に形成されている各種モードのうち，所望のモードを指標６に位置決めすることにより，モードが設定される。
【００２６】
モード設定ダイアル４の内部には，上下左右ボタン５が形成されている。上下左右ボタン５には，上矢印，下矢印，左矢印および右矢印が形成されている。これらの各矢印がボタンとして押下可能に形成されている。
【００２７】
ディジタル・スチル・カメラ１の背面の下方には，液晶表示装置９が設けられている。この液晶表示装置９に撮像によって得られた被写体像が表示される。
【００２８】
液晶表示装置９の表示画面の上には，各種操作ボタン類が形成されている。これらの操作ボタン類には，シフト・ボタン10，表示ボタン11，電源スイッチ８および実行ボタン７がある。
【００２９】
図２は，ディジタル・スチル・カメラ１の電気的構成を示すブロック図である。
【００３０】
ディジタル・スチル・カメラ１の全体の動作は，ＣＰＵ21によって統括される。
【００３１】
シャッタ・レリーズ・ボタン２からの第１段階の押し下げを示す信号Ｓ１および第２段階の押し下げを示す信号Ｓ２は，ＣＰＵ21に入力する。また，シフト・ボタン10，表示ボタン11，電源スイッチ８および実行ボタン７を含む操作ボタン類，モード設定ダイアル４，上下左右ボタン５を含む操作部20からの操作指令を示す信号もＣＰＵ21に入力する。
【００３２】
ディジタル・スチル・カメラ１は，自動焦点調整および自動露光調整が可能である。このためにＡＦおよびＡＥ回路19が設けられている。シャッタ・レリーズ・ボタン２の第１段階の押し下げがあると，ＡＦおよびＡＥ回路19において自動焦点調整および自動露光調整が行われる。ＡＦおよびＡＥ回路19からのＡＦ信号およびＡＥ信号がＣＰＵ21に入力する。
【００３３】
撮像レンズ13によって被写体像が撮像素子14の受光面上に結像する。撮像素子14から被写体像を表すアナログ映像信号が出力し，アナログ映像信号処理回路15に入力する。
【００３４】
アナログ映像信号処理回路15において，ガンマ補正，白バランス調整などのアナログ信号処理が行われる。アナログ信号処理回路15から出力された映像信号は，アナログ／ディジタル変換回路16に入力し，ディジタル画像データに変換される。ディジタル画像データは，ディジタル信号処理回路17に入力する。
【００３５】
ディジタル信号処理回路17に入力した画像データは，輝度データ，色差データ生成処理などのディジタル信号処理が行われる。ディジタル信号処理回路17から出力した画像データは液晶表示装置９に与えられる。被写体像が液晶表示装置９の表示画面上に表示されることとなる。
【００３６】
シャッタ・レリーズ・ボタン２の第２段階の押し下げがあると，上述のようにしてディジタル信号処理回路17から出力された画像データはメモリ22に与えられ，一時的に記憶される。画像データはメモリ22から読出されディジタル信号処理回路17に入力する。画像データはディジタル信号処理回路17においてデータ圧縮され，メモリ・カード25に与えられる。圧縮された画像データがメモリ・カード25に記録される。
【００３７】
ディジタル・スチル・カメラ１には，ＲＯＭ18が含まれている。このＲＯＭ18には，撮影アドバイスを表わすデータが記憶されている。
【００３８】
ディジタル・スチル・カメラは再生機能も有している。モード設定ダイアル４により再生モードが設定されると，メモリ・カード25に記録されている圧縮画像データが読取られる。読取られた圧縮画像データはディジタル信号処理回路17においてデータ伸長される。伸長されたディジタル画像データが液晶表示装置９に与えられることにより，再生画像が液晶表示装置９の表示画面上に表示される。
【００３９】
図３から図８は，液晶表示装置９に表示される画像の一例を示している。図９および図10は，ディジタル・スチル・カメラの処理手順を示すフローチャートである。
【００４０】
ユーザによってモード設定ダイアル４が回され，セットアップ・モードに設定される（ステップ61）。セットアップ・モードとなると，液晶表示装置９の表示画面には，図３に示すセットアップ画像が表示される。
【００４１】
セットアップ画像には，圧縮率の設定項目，画素数の表示項目，撮影アドバイスの設定項目，日時の設定項目およびリセットの設定項目が含まれている。セットアップ画像が液晶表示装置９に表示されているときに，上下左右ボタン４のうち，上ボタンまたは下ボタンが押されることにより，設定枠30が各項目間を上または下に移動する。設定枠30が撮影アドバイスを囲んでいるときに左ボタンまたは右ボタンが押される度にオン，オフが切り替わる。実行ボタン７が押されることにより，設定が確定する。ここでは，撮影アドバイスがオンされたものとする（ステップ62）。
【００４２】
ユーザによってモード設定ダイアル４が回され，セットアップ・モードから撮影モードにされる（ステップ63）。撮影モードとなると，撮像素子14によって被写体が撮影され，被写体像が液晶表示装置９の表示画面に表示される。図４に示すように，被写体像の上に重ねて十字線（十字線は，垂直線32および水平線33から構成されている）が表示される（ステップ64）。また，アイコン41から45が，液晶表示装置９の下部に表示される。
【００４３】
アイコン41には，十字線が表されている。アイコン42には，一人の人物の顔が表されている。アイコン43には，複数人の人物の顔が表されている。アイコン44には，山が表されている。アイコン45には，山と人物の顔が表されている。
【００４４】
これらのアイコン41から45は，液晶表示装置９に表示される撮影アドバイスに対応するものがそのほかのアイコンと区別されるように点灯する（図面においては，ハッチングで示されている）。
【００４５】
十字線に沿って，撮影領域の中の被写体の水平部分または垂直部分を合わせることにより，右上がりまたは右下がりの撮影画像となってしまうことを未然に防止できる。
【００４６】
十字線が表示されているときに，実行ボタン７が押され（ステップ65），上下左右ボタン66が押されると（ステップ66），その上下左右ボタン66が押された方向に十字線を構成する垂直線32および水平線33が移動する（ステップ67）。右ボタンが押されたときには，垂直線32が右方向に移動し，左ボタンが押されたときには，垂直線32が左方向に移動する。上ボタンが押されたときには，水平線33が上方向に移動し，下ボタンが押されたときには，水平線33が下方向に移動する。
【００４７】
ユーザによって上下左右ボタン66のうち右ボタンが押されることにより，次の撮影アドバイスが液晶表示装置９の表示画面に表示される。ユーザによって上下左右ボタン66のうち左ボタンが押されることにより，一つ前の撮影アドバイスが表示装置９の表示画面に表示される。
【００４８】
液晶表示装置９の表示画面に十字線が表示されているときに，右ボタンが押されると，液晶表示装置９の表示画面には，図５に示すようにポートレート撮影アドバイスが表示される（ステップ69）。
【００４９】
ポートレート撮影のアドバイスが表示されていることをユーザに知らせるために，アイコン42が点灯する。また，アイコン42に対応して吹き出し52が表示される。この吹き出し52内に，ポートレート撮影のときに注意すべき撮影アドバイスが表示される。ここでは，「角生え」（人物の頭から線が出て，角が生えているように見えること）と「首切り」（人物の首が水平線などにより切られてしまうこと）とならないようにアドバイスが表示されている。
【００５０】
十字線が表示されているときに，左ボタンが押されると，液晶表示装置９の表示画面には，後述する図８に示す撮影アドバイスが表示される。
【００５１】
ポートレート撮影アドバイスが表示されているときに，ユーザによって左ボタンが押されると（ステップ70），液晶表示装置９の表示画面には，図６に示すような集合写真撮影アドバイスが表示される（ステップ71）。
【００５２】
集合写真アドバイスが表示されていることをユーザに知らせるために，アイコン43が点灯する。アイコン43に対応して，吹き出し53が表示される。この吹き出し53には，「顔欠け」（端にいる人物の顔が欠けてしまうこと）とならないように撮影アドバイスが表示されている。また，撮影領域の端に注意することをユーザに知らせるために矢印54が点滅する。ユーザは，撮影アドバイスに注意して集合写真を撮ることにより顔欠けを未然に防止できる。
【００５３】
ポートレート撮影アドバイスが表示されているときに左ボタンが押されると（ステップ70），図４に示すように十字線が液晶表示装置９の表示画面に再び表示される。
【００５４】
集合写真アドバイスが表示されているときに，左ボタンが押されると（ステップ72），図７に示すように三分割法にしたがった構図となるように，撮影領域を上下方向に三分割するための２本の水平線34と左右方向に三分割するための２本の垂直線35が液晶表示装置９に表示される（ステップ73）。２本の水平線34および２本の垂直線35にしたがって構図を決定することにより，平凡な風景の構図となることを未然に防止できる。風景写真の撮影アドバイスであることをユーザに知らせるためにアイコン44が点灯する。
【００５５】
集合写真アドバイスが表示されているときに，右ボタンが押されると（ステップ72），液晶表示装置９の表示画面には，図５に示したようにポートレート撮影のアドバイスが表示される。
【００５６】
風景アドバイスが表示されているときに右ボタンが押されると（ステップ74），液晶表示装置９の表示画面には，図８に示すような風景＋人物撮影アドバイスが表示される（ステップ75）。風景と一緒に人物を撮影した場合に，人物の大きさが小さくならないように，撮影領域中における人物の割合を定めるための垂直線35が表示されている。また，人物撮影アドバイスであることをユーザに知らせるためにアイコン45が点灯している。アイコン45に対応して，吹き出し55が表示されている。この吹き出し55内に，「人物が近づく」（人物が遠くて小さくなることの防止）および「フォーカス・ロック」（人物にフォーカシングを合わせることの注意）が表示されている。
【００５７】
風景アドバイスが表示されているときに，左ボタンが押されると，液晶表示装置９の表示画面には，図６に示すような集合写真アドバイスが表示される（ステップ71）。
【００５８】
風景＋人物撮影アドバイスが表示されているときに，ユーザによって右ボタンが押されると（ステップ76），液晶表示装置９の表示画面には，再び図４に示すような十字線が表示される。また風景＋人物撮影アドバイスが表示されているときに，ユーザによって左ボタンが押されると（ステップ76），液晶表示装置９の表示画面には，再び図７に示すような２本の水平線34と２本の垂直線35が表示されることとなる（ステップ73）。
【００５９】
このような撮影アドバイスにしたがって，構図を決定した後に，シャッタ・レリーズ・ボタン２が押されることにより，撮影により得られた画像データがメモリ・カード25に記録されることとなる。
【００６０】
図11は，他の例を示すもので，液晶表示装置９の表示画面の一例である。
【００６１】
上述した撮影アドバイスのデータは，あらかじめＲＯＭ18に記憶されているが，他の撮影アドバイスのデータをカメラ１において読み取り，液晶表示装置９に表示するようにすることもできる。この場合，撮影アドバイスを初級者用，中級者用，上級者用と分け，必要な撮影アドバイスを液晶表示装置９の表示画面に表示する。撮影アドバイスのデータを記憶するメモリは，もちろん，ＲＯＭではなく，ＲＡＭが用いられよう。
【００６２】
たとえば，あらかじめメモリに記憶されている撮影アドバイスのデータは，初級者用の撮影アドバイスとする。その後に追加する撮影アドバイスのデータを中級者用とする。メモリ・カードに記憶されている中級者用の撮影アドバイスのデータを読み取り，カメラ１内のＲＡＭに書き込む。
【００６３】
セットアップ・モードにおいては，図11に示すような画面が液晶表示装置９に表示される。上下左右キーを用いて上述のようにして初級者用撮影アドバイスを液晶表示装置９の表示画面に表示する場合には，その設定をオンする（符号31Ａ）。また，中級者用撮影用アドバイスを液晶表示装置９の表示画面に表示する場合には，その設定をオンする（符号31Ｂ）。
【００６４】
上述したように撮影モードとすることにより，上下左右ボタン５の押下に応じて，液晶表示装置９の表示画面には，初級者用の撮影アドバイスおよび中級者用撮影アドバイスが表示される。ユーザの撮影レベルにしたがった撮影アドバイスが液晶表示装置９の表示画面に表示されるようになる。
【００６５】
もちろん，初級者用の撮影アドバイスまたは中級者用の撮影アドバイスのいずれか一方のみを表示させることができるのはいうまでもない。
【００６６】
（２）第２実施例
図12から図20は，第２実施例を示すものである。第２実施例においてもディジタル・スチル・カメラの構成は，第１実施例に示すものを用いることができる。
【００６７】
第２実施例においては，被写体像を表す画像データに加えて上述したアドバイスの種類を示すアドバイス・コードがメモリ・カードに記録される。
【００６８】
図12は，コード表を示している。
【００６９】
このコード表は，アドバイス・モードとそのアドバイス・モードを示すアドバイス・コードとの対応関係を示している。このようなコード表を示すデータは，ＲＯＭ18に記憶されている。ここでは，アドバイス・コードは，16進数が用いられている。
【００７０】
アドバイス・コード「０１Ｈ」は，ポートレート撮影アドバイスを示している。アドバイス・コード「０２Ｈ」は，集合写真アドバイスを示している。アドバイス・コード「０３Ｈ」は，風景アドバイスを示している。アドバイス・コード「０４Ｈ」は，風景＋人物アドバイスを示している。
【００７１】
図13は，メモリ・カード25のデータ構造を示している。
【００７２】
メモリ・カード25には，ヘッダ記録領域とデータ記録領域とが含まれている。
【００７３】
ヘッダ記録領域には，属性情報およびファイル情報が記録される。属性情報は，メモリ・カード25そのものについての情報であり，たとえばメモリ・カード25の容量，メモリ・カード25へのデータの書き込みおよび読み出し速度を表すデータなどである。ファイル情報は，メモリ・カード25に記録されているデータについての情報であり，たとえば，データ記録領域に記録されているデータのデータ量を示すものである。
【００７４】
データ記録領域には，アドバイス・コード記録領域と画像データ記録領域とが含まれている。アドバイス・コード記録領域には，上述したアドバイス・コードが記録される。画像データ記録領域には，被写体像を表す画像データが記録される。
【００７５】
図14から図16は，撮影時の処理手順を示すフローチャートである。
【００７６】
上述したようにセットアップ・モードが設定されると（ステップ81でＹＥＳ），撮影アドバイスがオンに設定されているかどうかが判定される（ステップ82）。撮影アドバイスがオンに設定されていると（ステップ82でＹＥＳ），アドバイス・フラグFAが１にセットされる（ステップ84）。撮影アドバイスがオンに設定されていなければ（ステップ82でＮＯ），アドバイス・フラグFAが０にセットされる（ステップ83）。
【００７７】
アドバイス・フラグFAが１にセットされているかどうかが判定される（ステップ85）。アドバイス・フラグFAが１にセットされていると（ステップ85でＹＥＳ），ディジタル・スチル・カメラの液晶表示装置９の表示画面には，図４に示すようなアイコン41から45のうちアイコン42から45が表示される（ステップ86，アドバイス・モード表示）。もちろん，アイコン41も表示可能としてもよい。
【００７８】
上述したようにしてアイコン42が選択され，ポートレート撮影のアドバイスが設定されると（ステップ87でＹＥＳ），ＲＯＭ18からアドバイス・コード「０１Ｈ」が読み取られる（ステップ88）。図５に示すようにポートレート撮影に応じた撮影アドバイスが液晶表示装置９の表示画面上に表示される（ステップ89）。
【００７９】
アイコン43が選択され，集合写真の撮影アドバイスが設定されると（ステップ90でＹＥＳ），ＲＯＭ18からアドバイス・コード「０２Ｈ」が読み取られる（ステップ91）。図６に示すように集合写真撮影に応じた撮影アドバイスが液晶表示装置９の表示画面上に表示される（ステップ92）。
【００８０】
アイコン44が選択され，風景の撮影アドバイスが設定されると（ステップ93でＹＥＳ），ＲＯＭ18からアドバイス・コード「０３Ｈ」が読み取られる（ステップ94）。図７に示すように風景撮影に応じた撮影アドバイスが液晶表示装置９の表示画面上に表示される（ステップ95）。
【００８１】
アイコン45が選択され，風景＋人物の撮影アドバイスが設定されると（ステップ96でＹＥＳ），ＲＯＭ18からアドバイス・コード「０４Ｈ」が読み取られる（ステップ97）。図８に示すように風景＋人物の撮影に応じた撮影アドバイスが液晶表示装置９の表示画面上に表示される（ステップ98）。
【００８２】
いずれのアイコンも選択されなければ（ステップ87，90，93および96のいずれもＮＯ），撮影アドバイスなしで撮影したことを示すコード「００Ｈ」が設定される（ステップ99）。
【００８３】
ユーザによりシャッタ・レリーズ・ボタン２が押されると（ステップ100 でＹＥＳ），上述したように被写体を撮像することにより得られた画像データがメモリ22に一時的に記憶される（ステップ101 ）。画像データがメモリ22から読み出され，ディジタル信号処理回路17に与えられ，データ圧縮処理が行われる（ステップ102 ）。圧縮された画像データがディジタル信号処理回路17から出力されメモリ・カード25に与えられる。圧縮された画像データは，メモリ・カード25のデータ記録領域に記録されることとなる。
【００８４】
また，ＲＯＭ18から読み取られたアドバイス・コード「０１Ｈ」，「０２Ｈ」，「０３Ｈ」もしくは「０４Ｈ」または設定されたアドバイス・コード「００Ｈ」がメモリ・カード25のデータ記録領域のアドバイス・コード記録領域に，画像データに対応して記録される（ステップ103 ）。
【００８５】
このようにして，メモリ・カード25に画像データとアドバイス・コードが記録されることとなる。
【００８６】
図17および図18は，画像再生の処理手順を示すフローチャートである。図19は，表示装置９の表示画面に表示される画像の一例を示している。
【００８７】
メモリ・カード25に記録されている圧縮された画像データおよびアドバイス・データが読み取られる（ステップ111 ）。メモリ・カード25から読み取られた圧縮画像データは，ディジタル信号処理回路17に与えられ，データ伸長が行われる（ステップ112 ）。伸長された画像データは，液晶表示装置９に与えられ，画像データによって表される被写体像が表示画面上に表示される（ステップ113 ）。
【００８８】
メモリ・カード25にアドバイス・コードが記録されており，メモリ・カード25からアドバイス・コードが読み取られると（ステップ114 でＹＥＳ），読み取られたアドバイス・コードの内容が判定される（ステップ115 ，117 ，119 ，121 ）。
【００８９】
アドバイス・コードが「０１Ｈ」であれば，ポートレート・アドバイスにしたがって被写体を撮像したことを示している。このために，図19に示すように被写体像に加えて，ポートレート・アドバイスにしたがって撮像されたことを示すアイコン141 が表示される（ポートレート構図判定，表示）。
【００９０】
また，液晶表示装置９の表示画面上に表示されている被写体像が撮影アドバイス（この場合は，ポートレート撮影のアドバイス）にもとづいた適正な構図で撮影されているかどうがが判定される。適正な構図で撮影されていないときには，警告142 が表示される。
【００９１】
図19に示す被写体像においては，被写体像の顔の一部が切れている（顔欠け）。このために顔欠けである旨の警告142 が表示されている。ユーザは，この警告142 を見ることにより必要に応じて再度被写体の撮影を行うことができるようになる。
【００９２】
アドバイス・コードが「０２Ｈ」であれば，集合写真アドバイスにしたがって被写体を撮像したことを示している。このために，集合写真アドバイスにしたがって撮像されたことを示すアイコン（図示略）が液晶表示装置９の表示画面上に表示される。この場合も集合写真のアドバイスにもとづいた適正な構図で撮影されているかどうかが判定され，適正な構図で撮影されていないときには，警告が表示される（ステップ118 ）。
【００９３】
アドバイス・コードが「０３Ｈ」であれば，風景写真アドバイスにしたがって被写体を撮像したことを示している。このために，風景写真アドバイスにしたがって撮像されたことを示すアイコンが液晶表示装置９の表示画面上に表示される。この場合も風景写真のアドバイスにもとづいた適正な構図で撮影されているかどうかが判定され，適正な構図で撮影されていないときには，警告が表示される（ステップ120 ）。
【００９４】
アドバイス・コードが「０４Ｈ」であれば，風景＋人物写真アドバイスにしたがって被写体を撮像したことを示している。このために，風景＋人物写真アドバイスにしたがって撮像されたことを示すアイコンが液晶表示装置９の表示画面上に表示される。この場合も風景＋人物写真のアドバイスにもとづいた適正な構図で撮影されているかどうかが判定され，適正な構図で撮影されていないときには，警告が表示される（ステップ122 ）。
【００９５】
いずれの構図であっても適正な構図で撮影されているかを比較的簡単に知ることができ，所望の構図で撮影されていなかった場合には撮影し直すことができるようになる。
【００９６】
図20は，ポートレート構図判定，表示の処理（図18ステップ116 の処理）手順を示すフローチャートである。
【００９７】
まず，液晶表示装置９の表示画面上にポートレート・アイコン141 が表示される（ステップ131 ）。液晶表示装置９の表示画面上に表示されている被写体像中から肌色の画像部分についての輪郭が抽出される（ステップ132 ）。ポートレート撮影の場合肌色の画像部分は，主被写体である人物の顔の部分と考えられる。このためにこの輪郭抽出により人物の顔の部分が抽出されることとなる。
【００９８】
抽出された輪郭が液晶表示装置９の画像枠にまで及んでいるかどうかが判定される（ステップ133 ）。抽出された輪郭が液晶表示装置９の画像枠にまで及んでいると（ステップ133 でＹＥＳ），液晶表示装置９に表示されている被写体像について顔欠けが生じていると考えられる。このために警告142 により，上述したように液晶表示装置９に表示されている被写体像は「顔欠け」であることが警告される。
【００９９】
上述した例は，「顔欠け」の警告であったがその他の警告も同様にして行うことができる。
【０１００】
たとえば，「角生え」であれば，肌色の画像部分を抽出し，かつ被写体像全体について輪郭抽出し，抽出された肌色の画像部分から上方に棒状の画像部分が表示されているかどうかにもとづいて判定することができる。また，「首切り」であれば，肌色の画像部分を抽出し，かつ被写体像全体について輪郭抽出し，肌色の画像部分に水平に線が入っていないかどうかにもとづいて判定することができる。
【０１０１】
また，風景写真に適した構図で撮影されているかどうかについては，被写体像全体の明るさ，色分布を判定し，被写体像全体が水平または垂直方向にほぼ三分割されているかどうかにもとづいて判定することができる。さらに，人物＋風景については，肌色の画像部分を抽出し，抽出した肌色の画像部分の大きさと被写体像全体の大きさとにもとづいて判定することができる。被写体像全体の大きさに比べて抽出した肌色の画像部分が小さければ，人物＋風景の構図に適していないと判定することができる。
【図面の簡単な説明】
【図１】ディジタル・スチル・カメラの背面図である。
【図２】ディジタル・スチル・カメラの電気的構成を示すブロック図である。
【図３】液晶表示装置の表示画面の一例である。
【図４】液晶表示装置の表示画面の一例である。
【図５】液晶表示装置の表示画面の一例である。
【図６】液晶表示装置の表示画面の一例である。
【図７】液晶表示装置の表示画面の一例である。
【図８】液晶表示装置の表示画面の一例である。
【図９】ディジタル・スチル・カメラの処理手順を示すフローチャートである。
【図１０】ディジタル・スチル・カメラの処理手順を示すフローチャートである。
【図１１】液晶表示装置の表示画面の一例である。
【図１２】アドバイス・モードとアドバイス・コードとの対応を示すコード表である。
【図１３】メモリ・カードのデータ構造を示している。
【図１４】撮影処理手順の一部を示すフローチャートである。
【図１５】撮影処理手順の一部を示すフローチャートである。
【図１６】撮影処理手順の一部を示すフローチャートである。
【図１７】再生処理手順の一部を示すフローチャートである。
【図１８】再生処理手順の一部を示すフローチャートである。
【図１９】表示画面の一例を示している。
【図２０】ポートレート構図判定，表示処理の処理手順を示すフローチャートである。
【符号の説明】
１  ディジタル・スチル・カメラ
２  シャッタ・レリーズ・ボタン
５  上下左右ボタン
７  実行ボタン
９  液晶表示装置
14  撮像素子
18  ＲＯＭ
21  ＣＰＵ
41，42，43，44，45  アイコン
52，53，55  吹き出し
【図１】
0003863327.tif 000002
【図２】
0003863327.tif 000003
【図３】
0003863327.tif 000004
【図４】
0003863327.tif 000005
【図５】
0003863327.tif 000006
【図６】
0003863327.tif 000007
【図７】
0003863327.tif 000008
【図８】
0003863327.tif 000009
【図９】
0003863327.tif 000010
【図１０】
0003863327.tif 000011
【図１１】
0003863327.tif 000012
【図１２】
0003863327.tif 000013
【図１３】
0003863327.tif 000014
【図１４】
0003863327.tif 000015
【図１５】
0003863327.tif 000016
【図１６】
0003863327.tif 000017
【図１７】
0003863327.tif 000018
【図１８】
0003863327.tif 000019
【図１９】
0003863327.tif 000020
【図２０】
0003863327.tif 000021